(57)【要約】【課題】簡単な構成で、出湯検出手段の故障時にも湯水混合弁から混合湯水を供給できるようにした給湯装置を提供する。【解決手段】湯水混合弁１７は、貯湯タンク５に貯められた湯と水とを混合して混合栓３に供給する。制御部３０は、リセットスイッチ４３からリセット信号が入力されていない通常時には、流量計２１が出湯有りと検知すると、温度検出センサ２２の検出温度が湯温設定部３２の設定温度と一致するように湯水混合弁１７による湯と水の混合比率を制御するとともに、出湯無しと検知すると、湯の混合比率を略ゼロに制御する通常モードで制御を行い、リセットスイッチ４３からリセット信号が一旦入力されると、流量計２１の検出結果に関係無く温度検出センサ２２の検出温度が設定温度と一致するように混合比率を制御する応急運転モードに制御モードを切り替える。【選択図】図１
2005337582.tif 000002
【特許請求の範囲】
【請求項１】
湯を貯める貯湯手段と、前記貯湯手段から供給される湯を水と混合して得た混合湯水を供給する湯水混合手段と、前記混合湯水を使用者に供給する出湯手段と、前記混合湯水の出湯の有無を検出する出湯検出手段と、前記混合湯水の温度を検出する温度検出手段と、前記混合湯水の温度を所望の温度に設定するための温度設定手段と、前記湯水混合手段による湯と水の混合比率を制御する制御手段と、操作に応じてリセット信号を発生するリセット手段とを備え、
前記制御手段は、前記リセット信号が入力されていない通常時には、前記出湯検出手段が出湯有りと検出すると、前記温度検出手段の検出温度が前記温度設定手段の設定温度と一致するように前記混合比率を制御するとともに、出湯無しと検出すると、湯の混合比率を略ゼロに制御する通常モードで制御を行い、前記リセット信号が一旦入力されると、前記出湯検出手段の検出結果に関係無く前記検出温度が前記設定温度と一致するように前記混合比率を制御する応急運転モードに制御モードを切り替えることを特徴とする給湯装置。
【請求項２】
前記出湯検出手段の動作が正常か否かを表示する表示手段を設け、前記制御手段は、前記応急運転モードにおいて前記出湯検出手段が出湯有りを検出しなければ前記表示手段に前記出湯検出手段の異常を表示させることを特徴とする請求項１記載の給湯装置。
【請求項３】
前記制御手段による応急運転モードでの制御動作を停止させるための停止操作に応じて停止信号を発生する停止手段を設け、前記制御手段は、前記応急運転モードで制御中に前記停止信号が入力されると、応急運転モードを終了して湯の混合比率を略ゼロに制御することを特徴とする請求項１又は２記載の給湯装置。
【請求項４】
前記制御手段は、前記応急運転モードで制御中に前記温度検出手段の検出温度が前記設定温度よりも一定温度以上高くなると、応急運転モードを終了して湯の混合比率を略ゼロに制御することを特徴とする請求項１乃至３の何れか１つに記載の給湯装置。
【請求項５】
前記混合湯水の設定温度毎に湯と水の混合比率を示す基準比率と、該基準比率に対して湯の混合比率を一定値だけ大きくした安全設定比率とを予め記憶する記憶手段を設けるとともに、前記制御手段に、前記温度設定手段による設定温度をもとに前記記憶手段に記憶された基準比率および安全設定比率を照合し、前記記憶手段から前記設定温度に対応した基準比率および安全設定比率を読み出す照合手段を設け、前記制御手段は、前記応急運転モードで制御を開始すると、前記照合手段の読み出した基準比率を前記混合比率の初期値として、前記温度検出手段の検出温度が前記設定温度と一致するように前記混合比率を初期値から変化させるとともに、前記混合比率が前記照合手段の読み出した安全設定比率よりも高温側になると、応急運転モードを終了して湯の混合比率を略ゼロに制御することを特徴とする請求項１乃至４の何れか１つに記載の給湯装置。
【請求項６】
前記出湯検出手段は、前記混合湯水の流量を検出することによって出湯の有無を検出しており、前記貯湯手段は満水状態で使用される貯湯タンクからなり、前記貯湯タンクから前記湯水混合手段へ湯が供給されると前記貯湯タンクが満水状態となるように前記貯湯タンクに水を補給する給水手段と、当該給水手段から前記貯湯タンクに供給される水の流量を測定する水量検出手段と、前記出湯検出手段の動作が正常か否かを表示する表示手段とを設け、前記制御手段は、前記出湯検出手段の検出流量が前記水量検出手段の検出流量を超えると前記出湯検出手段の動作が異常と判断し、前記表示手段に前記出湯検出手段の異常を表示させることを特徴とする請求項１乃至５の何れか１つに記載の給湯装置。
【発明の詳細な説明】
【技術分野】
【０００１】
本発明は、貯湯式の給湯装置に関するものである。
【背景技術】
【０００２】
従来より、ヒートポンプのような加熱手段により加熱された湯を貯める貯湯タンクと、貯湯タンクから供給される湯を水と混合して得た混合湯水を供給する湯水混合弁と、湯水混合弁による湯と水の混合比率を制御する制御部と、湯水混合弁により混合された混合湯水を使用者に供給する混合栓とを備えた給湯装置が提供されている。
【０００３】
この給湯装置では、制御部が、流量検出手段の検出結果をもとに混合栓が開けられていると判断すると、混合湯水の湯温を検出する温度検出手段の検出結果と、予め設定された設定温度とをもとに湯水混合弁による湯と水の混合比率を制御して、混合湯水の温度を設定温度に制御していた。また制御部は、流量検出手段の検出結果をもとに混合栓が閉じられていると判断すると、開栓時に高温の湯が吹き出さないよう湯の混合比率を略ゼロにして、水しか出ないように制御している。
【０００４】
したがって、流量検出手段の故障により、混合栓を開いているにも関わらず流量検出手段から制御部に流量の検出信号が入力されない場合、制御部は出湯無しと判断し、湯の混合比率を略ゼロに制御するので、混合栓から混合湯が供給されなくなって、使い勝手が悪いという問題があった。
【０００５】
そこで、流量検出手段が発する流量検出信号を擬似的に出力する疑似流量信号発生手段と、流量検出手段からの流量検出信号と疑似流量信号発生手段の疑似流量信号とを切り替えて制御部に出力する流量信号切替手段を設けた給湯装置が従来より提供されており（例えば特許文献１参照）、この給湯装置では混合栓から湯が出ない場合に、使用者が流量信号切替手段を用いて疑似流量信号に切り替え、制御部に出湯ありと判断させることで、湯水混合弁から混合湯水を供給できるようにしている。
【特許文献１】特開２０００−３３７６４７号公報
【発明の開示】
【発明が解決しようとする課題】
【０００６】
上述の給湯装置では、流量検出手段の故障によって湯が出ない場合に、使用者が流量信号切替手段を用いて疑似流量信号に切り替えることで、応急的に湯を出せるようにしているが、一般家庭で使用される場合は不特定多数の人物が使用するため、他の使用者が流量検出手段の故障を知らずに使い続ける可能性がある。そのため、上記の給湯装置では、流量検出手段の故障時に流量信号切替手段により疑似流量信号に切り替えた場合のみ湯が出るようにし、使用後に疑似流量信号から流量検出信号に切り替えることで湯が出ないようにしており、他の使用者が流量検出手段の故障を知らずに使い続けるのを防止しているが、流量検出信号を擬似的に出力する回路を別途設ける必要があるため、回路構成が複雑になって、コストアップを招くというという問題があった。
【０００７】
本発明は上記問題点に鑑みて為されたものであり、その目的とするところは、簡単な構成で、出湯検出手段の故障時にも湯水混合弁から混合湯水を供給できるようにした給湯装置を提供することにある。
【課題を解決するための手段】
【０００８】
上記目的を達成するために、請求項１の発明は、湯を貯める貯湯手段と、貯湯手段から供給される湯を水と混合して得た混合湯水を供給する湯水混合手段と、混合湯水を使用者に供給する出湯手段と、混合湯水の出湯の有無を検出する出湯検出手段と、混合湯水の温度を検出する温度検出手段と、混合湯水の温度を所望の温度に設定するための温度設定手段と、湯水混合手段による湯と水の混合比率を制御する制御手段と、操作に応じてリセット信号を発生するリセット手段とを備え、制御手段は、リセット信号が入力されていない通常時には、出湯検出手段が出湯有りと検出すると、温度検出手段の検出温度が温度設定手段の設定温度と一致するように混合比率を制御するとともに、出湯無しと検出すると、湯の混合比率を略ゼロに制御する通常モードで制御を行い、リセット信号が一旦入力されると、出湯検出手段の検出結果に関係無く検出温度が設定温度と一致するように混合比率を制御する応急運転モードに制御モードを切り替えることを特徴とする。
【０００９】
請求項２の発明は、請求項１の発明において、出湯検出手段の動作が正常か否かを表示する表示手段を設け、制御手段は、応急運転モードにおいて出湯検出手段が出湯有りを検出しなければ表示手段に出湯検出手段の異常を表示させることを特徴とする。
【００１０】
請求項３の発明は、請求項１又は２の発明において、制御手段による応急運転モードでの制御動作を停止させるための停止操作に応じて停止信号を発生する停止手段を設け、制御手段は、応急運転モードで制御中に停止信号が入力されると、応急運転モードを終了して湯の混合比率を略ゼロに制御することを特徴とする。
【００１１】
請求項４の発明は、請求項１乃至３の何れか１つの発明において、制御手段は、応急運転モードで制御中に温度検出手段の検出温度が設定温度よりも一定温度以上高くなると、応急運転モードを終了して湯の混合比率を略ゼロに制御することを特徴とする。
【００１２】
請求項５の発明は、請求項１乃至４の何れか１つの発明において、混合湯水の設定温度毎に湯と水の混合比率を示す基準比率と、該基準比率に対して湯の混合比率を一定値だけ大きくした安全設定比率とを予め記憶する記憶手段を設けるとともに、制御手段に、温度設定手段による設定温度をもとに記憶手段に記憶された基準比率および安全設定比率を照合し、記憶手段から設定温度に対応した基準比率および安全設定比率を読み出す照合手段を設け、制御手段は、応急運転モードで制御を開始すると、照合手段の読み出した基準比率を混合比率の初期値として、温度検出手段の検出温度が設定温度と一致するように混合比率を初期値から変化させるとともに、混合比率が照合手段の読み出した安全設定比率よりも高温側になると、応急運転モードを終了して湯の混合比率を略ゼロに制御することを特徴とする。
【００１３】
請求項６の発明は、請求項１乃至５の何れか１つの発明において、出湯検出手段は、混合湯水の流量を検出することによって出湯の有無を検出しており、貯湯手段は満水状態で使用される貯湯タンクからなり、貯湯タンクから湯水混合手段へ湯が供給されると貯湯タンクが満水状態となるように貯湯タンクに水を補給する給水手段と、当該給水手段から貯湯タンクに供給される水の流量を測定する水量検出手段と、出湯検出手段の動作が正常か否かを表示する表示手段とを設け、制御手段は、出湯検出手段の検出流量が水量検出手段の検出流量を超えると出湯検出手段の動作が異常と判断し、表示手段に出湯検出手段の異常を表示させることを特徴とする。
【発明の効果】
【００１４】
請求項１の発明によれば、出湯手段から湯水が出ているにも関わらず、出湯検出手段の故障によって出湯無しと検出された場合、制御手段は湯の混合比率を略ゼロに制御するため、湯水混合手段から出湯手段へ水しか供給されず、結果出湯手段から水しか出なくなるが、この場合に使用者がリセット手段を操作してリセット信号を制御手段へ出力させると、制御手段は、このリセット信号に応じて制御モードを通常モードから応急運転モードに切り替え、温度検出手段の検出温度が温度設定手段の設定温度と一致するように湯水混合手段による湯と水の混合比率を制御するので、湯水混合手段から設定温度の混合湯水が出湯手段に供給され、出湯手段から湯を供給させることができるという効果がある。しかも制御部はリセット手段から一旦リセット信号が入力されると、その後は応急運転モードで制御を続けるので、リセット手段をスイッチなどで実現でき、従来の給湯装置のように擬似流量信号を発生する回路を設ける場合に比べてリセット手段の構成を簡単にできるから、給湯装置の回路構成が複雑になってコストアップとなることもない。
【発明を実施するための最良の形態】
【００１５】
以下に本発明の実施の形態を図面に基づいて説明する。
【００１６】
（実施形態１）
図１は本実施形態の概略構成図を示しており、この給湯装置は貯湯タンクユニット１と、３台のヒートポンプ２と、混合栓３（出湯手段）とを備える。
【００１７】
貯湯タンクユニット１は、適宜の加熱手段（本実施形態では例えばヒートポンプ２）によって加熱された湯を貯める貯湯タンク５（貯湯手段）を備える。貯湯タンク５は密閉型の円筒タンクからなり、低温の水をタンク内に供給するための給水口６、および低温の水をヒートポンプ２側へ吐出するための吐出口７を底部に備えるとともに、混合栓３へ高温の湯を吐出するための吐出口８を頂部に備えている。ここで、吐出口７から給水配管２３を介してヒートポンプ２に送られた低温水は、ヒートポンプ２の備える熱交換器（図示せず）によって高温に加熱された後、戻し配管２４を介して吐出口８からタンク内に戻されており、貯湯タンク５内の湯がヒートポンプ２によって加熱されるのである。すなわち、吐出口８はヒートポンプ２からの高温水をタンク内に供給するための給湯口としても機能する。
【００１８】
給水口６には、水道管などの給水部９（給水手段）に接続される水配管１０の下流側端部が接続されており、この水配管１０を通して低温の水が貯湯タンク５内に供給できるようになっている。なお水配管１０の途中には逆止弁１１が設けられており、逆止弁１１によって貯湯タンク５から水配管１０側に湯水が逆流するのを防止している。また水配管１０には、水配管１０内を流れる水の温度を検出するためのサーミスタからなる給水温センサ１２が取り付けられるとともに、逆止弁１１の一次側に貯湯タンク５に供給される水の流量を測定する流量計１３（水量検出手段）が設けられている。また水配管１０の下流側端部からは排水管１４が分岐し、この排水管１４の端末に接続された排水バルブ１５を開くことによって、貯湯タンク５内の湯水を排出できるようになっている。
【００１９】
吐出口８には給湯管１６の上流側端部が接続され、この給湯管１６の下流側端部は湯水混合弁１７（湯水混合手段）の湯側の接続ポートに接続されている。湯水混合弁１７の水側の接続ポートは水配管１８を介して流量計１３よりも上流側の管路（水配管１０）に分岐接続され、吐出口は湯配管１９を介して混合栓３に接続されており、湯水混合弁１７によって給湯管１６からの湯と水配管１８からの水を混合した混合湯水が混合栓３に供給される。
【００２０】
また混合栓３には、水道管などに接続された水配管２０を介して水が供給されており、湯水混合弁１７からの混合湯水をさらに水と混合して温度を調整した混合湯水を吐出させるようになっている。なお湯配管１９の途中には混合湯水の流量を検出することによって出湯の有無を検出する流量計２１（出湯検出手段）が接続されるとともに、湯配管１９内を流れる湯の温度を検出するためのサーミスタからなる温度検出センサ２２（温度検出手段）が設けられている。
【００２１】
ところで、上述の湯水混合弁１７は湯と水を混合した混合湯水を混合栓３に供給するのであるが、その混合比率は制御部３０によって制御される。すなわち湯水混合弁１７は、給湯管１８の接続ポート側の開度と水配管１９の接続ポート側の開度とを変化させることによって、湯と水の混合比率を変化させる開閉弁（図示せず）と、この開閉弁を開閉させるモータのような弁駆動部（図示せず）とを備え、制御部３０から入力される弁開度指令に応じて弁駆動部が開閉弁を駆動し、湯側および水側の開度（すなわち混合比率）を調整できるようになっている。また制御部３０は例えばマイクロコンピュータからなり、温度検出センサ２２により検出された混合湯水の温度と、湯温設定部３２（温度設定手段）を用いて使用者が設定した設定温度とに基づいて高温水と低温水の混合比率を決定して、湯水混合弁１７に弁開度指令を出力するのである。また制御部３０は、流量計２１の動作が正常か否かを表示する表示部３５（表示手段）の表示も制御している。
【００２２】
本実施形態の供給装置は以上のような構成を有しており、この給湯装置の動作について以下に説明する。先ず流量計２１の動作が正常な場合の給湯動作について説明する。使用者が混合栓３を開けると、使用開始時は湯水混合弁１７から混合栓３に水が供給されて、混合栓３から水が吐出されることになり、この時の水の流量が流量計２１によって検出されて、出湯有りを示す出湯検知信号が制御部３０に出力される。制御部３０は、流量計２１から出湯検知信号が入力されると、湯水混合弁１７による湯と水の混合比率の制御を開始する。すなわち制御部３０は、湯温設定部３２から設定温度を読み込み、この設定温度に応じて予め設定された弁開度指令を湯水混合弁１７に与え、湯水混合弁１７の駆動部により開閉弁を弁開度指令に対応する弁開度まで駆動させることで、湯水混合弁１７の開閉弁を設定温度にほぼ対応した弁開度まで短時間で切り替えた後、温度検出センサ２２の検出温度と湯温設定部３２の設定温度とに基づいてフィードバック制御を行っており、検出温度が設定温度よりも低ければ湯の混合比率を高く（水の混合比率を低く）、検出温度が設定温度よりも高ければ湯の混合比率を下げる（水の混合比率を上げる）ように弁開度指令を変化させて、湯水混合弁１７に与える。このとき湯水混合弁１７は、制御部３０からの弁開度指令に応じて開閉弁の開度を変化させ、それに応じて湯と水の混合比率が変化するので、湯水混合弁１７から混合栓３に供給される混合湯水の温度が所望の設定温度に制御される。
【００２３】
その後、使用者が混合栓３を閉じて出湯を終了すると、流量計２１は出湯無しの状態を検知して、出湯検知信号の出力を停止する。このとき制御部３０には、流量計２１から出湯検知信号が入力されなくなり、安全のために湯の混合比率を略ゼロにする弁開度指令を湯水混合弁１７に与え、この弁開度指令に応じて湯水混合弁１７が開閉弁を動作させ、湯水混合弁１７から水しか供給できない状態に開閉弁を制御する。以上のような制御部３０の制御モードを通常モードと言う。
【００２４】
次に流量計２１の動作が異常な場合の給湯動作について説明する。使用者が混合栓３を開けると、使用開始時は湯水混合弁１７から混合栓３に水のみが供給されて、混合栓３から水が吐出される。ここで、流量計２１が故障により出湯有りの状態を検知できなくなると、制御部３０に流量計２１の出湯検知信号が入力されず、制御部３０は湯の混合比率が略ゼロになるように制御しているので、湯水混合弁１７からは水しか出なくなる。
【００２５】
ところで本実施形態の給湯装置は、例えば銭湯などで使用される事業者向けの設備であり、たとえ流量計２１が故障したとしても、湯水混合弁１７の機能が正常ならば貯湯タンク５内に貯められた湯を出せる状態にするのが望ましい。また事業者向けの設備の場合は、給湯装置を使用するのが特定の使用者に限られるので、この使用者さえ流量計２１の故障を認識していれば、流量計２１が故障したとしても、湯水混合弁２２から混合湯水を供給できるようにすることが望ましい。そこで、本実施形態では制御部３０にリセット信号を与えるリセットスイッチ４３（リセット手段）を設け、制御部３０は一旦リセット信号が入力されると、流量計２１による出湯の有無の検出結果に関係無く、温度検出センサ２２の検出温度と設定温度とが一致するように湯水混合弁１７の混合比率を制御する応急運転モードに制御モードを切り替えている。
【００２６】
すなわち、流量計２１の故障によって混合栓３から水しか出ない場合に、使用者が流量計２１の故障ではないかと判断し、リセットスイッチ４３を操作すると、このリセットスイッチ４３から制御部３０へリセット信号が入力される。制御部３０は、リセット信号が一旦入力されると、制御モードを通常モードから応急運転モードに切り替えており、応急運転モードで制御を開始すると、先ず湯温設定部３２から設定温度を読み込み、この設定温度に応じて予め設定された弁開度指令を湯水混合弁１７に与え、湯水混合弁１７の駆動部により開閉弁を弁開度指令に対応する弁開度まで駆動させることで、湯水混合弁１７の開閉弁を設定温度にほぼ対応した弁開度まで短時間で切り替えた後、温度検出センサ２２の検出温度と湯温設定部３２の設定温度とが一致するように湯水混合弁１７による湯と水の混合比率をフィードバック制御するので、湯水混合弁１７から設定温度の混合湯水を混合栓３に供給させることができ、混合栓３から湯を供給させることが可能になる。このように、本実施形態ではリセットスイッチ４３を操作すると、制御部３０の制御モードが通常モードから応急運転モードに切り替わって、湯水混合弁１７から混合湯水が供給されるので、応急的に湯を出すことができる。しかも制御部３０はリセットスイッチ４３から一旦リセット信号が入力されると、その後は応急運転モードで制御を続けるので、リセット手段をスイッチなどで実現でき、従来の給湯装置のように擬似流量信号を発生する回路を設ける場合に比べてリセット手段の構成を簡単にできるから、給湯装置の回路構成が複雑になってコストアップとなることもない。
【００２７】
また制御部３０が応急運転モードで動作中は、使用者が混合栓３を開いて混合栓３からから混合湯水が供給されているものと予想されるが、制御部３０では、応急運転モードで動作中に流量計２１から出湯検知信号が入力されなければ流量計２１の故障と判断し、ＬＣＤ或いは表示ランプからなる表示部３５を用いて流量計２１の異常を表示させているので、表示部３５の表示により流量計２１の異常を使用者に知らしめることができ、使用者に対して流量計２１の修理を促すことができる。
【００２８】
また制御部３０が応急運転モードで動作中に、使用者が混合栓３を閉じて出湯を終了した場合、流量計２１が故障しているため、制御部３０は出湯無しを検知できずに混合比率の制御を継続して行うのであるが、出湯が停止したために給湯管１９内の湯の温度が徐々に冷めていき、それに応じて温度検出センサ２２の検出温度も徐々に低下するため、制御部３０は湯の混合比率を高くなる方向に混合比率を変化させてしまう。したがって、混合栓３による出湯が再開された際に、湯水混合弁１７による混合比率が高温側に変化しているために、混合栓３から高温の湯が出湯されてしまう可能性がある。本実施形態の給湯装置は業務用の設備であり、使用者が特定の人物に限定されるため、特定の使用者が流量計２１の故障を認識した上で応急的に使用するのであれば、応急運転モードで動作中に給湯を再開した時点で高温の湯が出る可能性を使用者が予想しているため、特に問題はないと考えられるが、より安全性を高めるために、制御部３０に停止操作に応じて停止信号を発生する停止スイッチ３４（停止手段）を接続し、制御部３０が応急運転モードで動作中に停止スイッチ３４からの停止信号が入力されると、制御部３０が応急運転モードを終了して湯の混合比率を略ゼロに制御するようにしても良い。
【００２９】
すなわち、混合栓３を開いても水しかでない場合に使用者が流量計２１の故障を疑ってリセットスイッチ３３を操作すると、制御部３０の制御モードが応急運転モードに切り替えられて、湯水混合弁１７から混合湯水が応急的に出湯されるのであるが、応急運転モードで動作中に使用者が混合栓３を閉じると、温度検出センサ２２の検出温度の低下に伴って、制御部３９は湯の混合比率を徐々に高くするような制御を行ってしまう。このとき、混合栓３を閉じた使用者が停止スイッチ３４を用いて応急運転モードでの制御動作を停止させる停止操作を行うと、停止スイッチ３４から停止信号が制御部３０に入力され、制御部３０はこの停止信号に応じて応急運転モードを終了して湯の混合比率を略ゼロに制御するので、その後混合栓３を開いて出湯を再開した場合に混合栓３から高温の湯が吹き出るのを防止でき、安全性が向上する。
【００３０】
なお流量計２１が故障しているため、応急運転モードを終了すると水しかでなくなるが、給湯を再開する際に使用者が再度リセットスイッチ３３によりリセット操作を行えば、制御部３０は再び応急運転モードに制御モードを切り替えるので、上述と同様、湯水混合弁１７から応急的に湯を出すことが可能になる。
【００３１】
（実施形態２）
本実施形態の給湯装置の構成は実施形態１と同様であり、実施形態１で説明した応急運転モードにおいて出湯を一旦停止し、その後再開させる際の動作が異なるだけなので、異なる部分の動作のみを説明し、それ以外の動作や構成については説明を省略する。
【００３２】
上述した実施形態１では、制御部３０に停止スイッチ３４を接続し、制御部３０が応急運転モードで動作中に停止スイッチ３４からの停止信号が入力されると、応急運転モードを終了して給湯再開時に高温の湯が出力されるのを防止しているが、本実施形態では応急運転モードで動作中に温度検出センサ２２の検出温度が設定温度よりも一定温度以上高くなると、制御部３０が応急運転モードを終了して湯の混合比率を略ゼロに制御している。
【００３３】
すなわち、混合栓３を開いても水しかでない場合に使用者が流量計２１の故障を疑ってリセットスイッチ３３を操作すると、制御部３０の制御モードが応急運転モードに切り替えられて、湯水混合弁１７から混合湯水が応急的に出湯されるのであるが、応急運転モードで動作中に使用者が混合栓３を閉じて出湯を終了すると、温度検出センサ２２の検出温度が徐々に低下するため、制御部３０では検出温度の低下に伴って湯の混合比率を徐々に高くするような制御を行ってしまう。したがって、混合栓３を開いて出湯を再開した際に、湯水混合弁１７による混合比率が高温側に変化しているために、一時的に混合栓３から高温の湯が出湯されてしまうが、制御部３０では、応急運転モードで動作中に温度検出センサ２２の検出温度が設定温度よりも一定温度以上高くなると、応急運転モードを終了して湯の混合比率を略ゼロに制御しているので、湯水混合弁３から高温の湯が出続けるのを防止でき、安全性を向上させることができる。
【００３４】
なお流量計２１が故障しているため、応急運転モードを終了すると水しかでなくなるが、給湯を再開する際に使用者が再度リセットスイッチ３３によりリセット操作を行えば、制御部３０は再び応急運転モードに制御モードを切り替えるので、上述と同様、湯水混合弁１７から応急的に湯を出すことが可能になる。
【００３５】
（実施形態３）
本実施形態の給湯装置の構成は実施形態１と同様であり、実施形態１で説明した応急運転モードの動作が異なるだけなので、異なる部分の動作のみを説明し、それ以外の動作や構成については説明を省略する。
【００３６】
本実施形態では、図１に示すように湯水混合弁１７から供給される混合湯水の設定温度毎に湯と水の混合比率を示す基準比率と、この基準比率に対して湯の混合比率を一定値だけ大きくした安全設定比率とを予め記憶する記憶部４１（記憶手段）を設けるとともに、制御部３０に、湯温設定部３２の設定温度をもとに記憶部４１に記憶された基準比率および安全設定比率を照合し、記憶部４１から設定温度に対応した基準比率および安全設定比率を読み出す照合手段（図示せず）を設けている。ここに、上記の照合手段は制御部３０の演算機能によって実現される。
【００３７】
そして、混合栓３を開いても水しかでない場合に使用者が流量計２１の故障を疑ってリセットスイッチ３３を操作すると、制御部３０の制御モードが応急運転モードに切り替えられる。制御部３０は、応急運転モードで制御を開始すると、先ず照合手段により湯温設定部３２の設定温度に対応した基準比率および安全設定比率を記憶部３１から読み出させ、読み出した基準比率を混合比率の初期値として、この初期値に対応した弁開度指令を湯水混合弁１７に与えるとともに、温度検出センサ２２の検出温度が設定温度と一致するように混合比率を初期値から変化させるような弁開度指令を湯水混合弁１７に与えることで、湯と水の混合比率をフィードバック制御し、湯水混合弁１７から設定温度の湯を出湯させる。このように制御部３０が応急運転モードで動作している状態で使用者が混合栓３を閉じて出湯を終了すると、温度検出センサ２２の検出温度が徐々に低下し、検出温度の低下に伴って、制御部３９は湯の混合比率を徐々に高くするような制御を行ってしまう。ここで、制御部３０は、湯水混合弁１７に与える湯と水の混合比率が、読み出した安全設定比率よりも高温側になると、応急運転モードを終了して湯の混合比率を略ゼロに制御しており、その後出湯を再開した場合に湯水混合弁１７からは水しかでないので、高温の湯が吹き出るのを防止して安全性を高めることができる。
【００３８】
なお流量計２１が故障しているため、応急運転モードを終了すると水しかでなくなるが、給湯を再開する際に使用者が再度リセットスイッチ３３によりリセット操作を行えば、制御部３０は再び応急運転モードに制御モードを切り替えるので、上述と同様、湯水混合弁１７から応急的に湯を出すことが可能になる。
【００３９】
（実施形態４）
本実施形態の給湯装置の構成および動作は実施形態１と略同様であるので、共通する構成および動作については説明を省略し、本実施形態の特徴部分のみを以下に説明する。
【００４０】
この給湯装置では、実施形態１で説明したように貯湯タンク５から湯水混合弁１７を介して混合栓３に湯を供給しているので、貯湯タンク５から吐出される湯は全て湯水混合弁１７を通ることになり、流量計２１により貯湯タンク５から吐出される湯の全流量を検出することができる。ここで、貯湯タンク５は常に満水状態で使用され、混合栓３が開けられて貯湯タンク５から湯水混合弁１７にタンク内の湯が供給されると、貯湯タンク５が満水状態となるように給水部９から貯湯タンク５に水が補給されるので、流量計２１の動作が正常であれば、流量計２１の検出した湯の検出流量は、流量計１３の検出した水の検出流量以下になる。したがって、制御部３０では、流量計２１による湯の検出流量と、流量計１３による水の検出流量とを常に比較しており、流量計２１の検出流量が流量計１３の検出流量を超えると、流量計２１の動作が異常と判断して、表示部３５に流量計２１の異常を表示させているので、使用者に対して流量計２１の異常を知らしめ、流量計２１の修理を促すことができる。
【図面の簡単な説明】
【００４１】
【図１】本実施形態の給湯装置の概略構成図である。
【符号の説明】
【００４２】
３  混合栓
５  貯湯タンク
２０  湯水混合弁
２２  流量計
２３  温度検出センサ
４０  制御部
４２  湯温設定部
４３  リセットスイッチ
【図１】
2005337582.tif 000003